(57)【要約】【課題】単純な処理によって、良質な高解像度の画像データを作成可能とする。【解決手段】画像処理装置１４は、２値の画像データにおける注目画素を含む所定の画像領域の画素配列が、ＲＯＭ１１に記憶された複数のテンプレートデータの各々の画素配列と一致するか否かを判定するパターンマッチング部１４１と、その判定結果に基づいて、所定画素数で構成される画素ブロックを用いて前記画像データよりも高解像度の画像データを作成する解像度変換部１４２と、を備える。各テンプレートデータには、注目画素の出力階調値及び出力画素の位置情報が設定されている。前記画像領域の画素配列と一致するテンプレートデータがあると判定された場合、解像度変換部１４２は、当該一致したテンプレートデータに設定された出力階調値及び出力画素の位置情報に基づいて、当該出力階調値と同一の階調値を再現する画素ブロックを出力する。【選択図】図１
2007214966.tif 000002
【特許請求の範囲】
【請求項１】
２値の画像データにおける注目画素を含む所定の画像領域の画素配列が、予め用意された複数のテンプレートデータの各々の画素配列と一致するか否かを判定するパターンマッチング部と、
前記パターンマッチング部における判定結果に基づいて、所定画素数で構成される画素ブロックを用いて前記画像データよりも高解像度の画像データを作成する解像度変換部と、を備え、
前記複数のテンプレートデータの各々には、注目画素の出力階調値及び出力画素の位置情報が設定されており、
前記解像度変換部は、
前記パターンマッチング部により、前記画像領域の画素配列と一致するテンプレートデータがあると判定された場合、当該一致したテンプレートデータに設定された出力階調値及び出力画素の位置情報に基づいて、当該出力階調値と同一の階調値を再現する画素ブロックを出力することを特徴とする画像処理装置。
【請求項２】
前記解像度変換部は、
前記パターンマッチング部により、前記画像領域の画素配列と一致するテンプレートデータがないと判定された場合、当該画像領域に含まれる注目画素と同一の階調値を再現する画素ブロックを出力することを特徴とする請求項１に記載の画像処理装置。
【請求項３】
前記複数のテンプレートデータの各々に設定された出力画素の位置情報は、注目画素の周辺の黒画素及び白画素の位置により設定され、前記画素ブロックを構成する各画素の出力位置を決定する情報であることを特徴とする請求項１又は２に記載の画像処理装置。
【請求項４】
前記複数のテンプレートデータの各々に設定された出力階調値は、注目画素に対する階調変換前と変換後における出力階調値の誤差値を、前記解像度変換部で使用されるテンプレートデータの出力階調値とは別のテンプレートデータの出力階調値により吸収できるように設定されていることを特徴とする請求項１〜３の何れか一項に記載の画像処理装置。
【請求項５】
前記パターンマッチング部により前記画像領域の画素配列と一致するテンプレートデータがあると判定された場合に出力する画素ブロックの各画素が再現可能な出力階調値を、操作部の操作により選択可能とすることを特徴とする請求項１〜４の何れか一項に記載の画像処理装置。
【請求項６】
請求項１〜５の何れか一項に記載の画像処理装置と、
前記画像処理装置において画像処理が施された画像データに基づいて被記録材に画像を形成する画像形成部と、
を備えることを特徴とする画像形成装置。
【請求項７】
２値の画像データにおける注目画素を含む所定の画像領域の画素配列が、予め用意された複数のテンプレートデータの各々の画素配列と一致するか否かを判定するパターンマッチング工程と、
前記パターンマッチング工程における判定結果に基づいて、所定画素数で構成される画素ブロックを用いて前記画像データよりも高解像度の画像データを作成する解像度変換工程と、を含み、
前記複数のテンプレートデータの各々には、注目画素の出力階調値及び出力画素の位置情報が設定されており、
前記解像度変換工程では、
前記パターンマッチング工程において前記画像領域の画素配列と一致するテンプレートデータがあると判定された場合、当該一致したテンプレートデータに設定された出力階調値及び出力画素の位置情報に基づいて、当該出力階調値と同一の階調値を再現する画素ブロックを出力することを特徴とする画像処理方法。
【請求項８】
前記解像度変換工程では、
前記パターンマッチング工程により、前記画像領域の画素配列と一致するテンプレートデータがないと判定された場合、当該画像領域に含まれる注目画素と同一の階調値を再現する画素ブロックを出力することを特徴とする請求項７に記載の画像処理方法。
【請求項９】
前記複数のテンプレートデータの各々に設定された出力画素の位置情報は、注目画素の周辺の黒画素及び白画素の位置により設定され、前記画素ブロックを構成する各画素の出力位置を決定する情報であることを特徴とする請求項７又は８に記載の画像処理方法。
【請求項１０】
前記複数のテンプレートデータの各々に設定された出力階調値は、注目画素に対する階調変換前と変換後における出力階調値の誤差値を、前記解像度変換工程において使用されるテンプレートデータの出力階調値とは別のテンプレートデータの出力階調値により吸収できるように設定されていることを特徴とする請求項７〜９の何れか一項に記載の画像処理方法。
【請求項１１】
前記パターンマッチング工程により前記画像領域の画素配列と一致するテンプレートデータがあると判定された場合に出力する画素ブロックの各画素が再現可能な出力階調値を、操作部の操作により選択可能とすることを特徴とする請求項７〜１０の何れか一項に記載の画像処理方法。
【発明の詳細な説明】
【技術分野】
【０００１】
本発明は、低解像度の画像データを高解像度の画像データに変換する画像処理装置と、当該画像処理装置を備えた画像形成装置と、画像処理方法に関する。
【背景技術】
【０００２】
従来より、テンプレートマッチング手法によって、文字画像、線画像等のエッジ部に対するスムージング処理を行う技術が提案されている。例えば、特許文献１では、スムージング対象の注目画素に対し、濃度変換及びパルス幅変更処理を行うことによって高解像度の画像データを得る技術が開示されている。また、特許文献２では、多値画像データのエッジ部分を検出するエッジ判定と、多値画像データの一定領域が予め定めたパターンと一致するか否かを判定するパターンマッチング判定を行って、エッジ部分にスムージング処理を施しつつ、当該多値画像データを高解像度化する技術が開示されている。特許文献２に記載の技術では、高解像度の画像データに対し、更に、エッジ判定及びパターンマッチング判定を行っている。
【特許文献１】特開２０００−８３１６８号公報
【特許文献２】特開２００１−１５７０４１号公報
【発明の開示】
【発明が解決しようとする課題】
【０００３】
しかしながら、特許文献１に記載の技術は、スムージング処理の方向が一方向となってしまうため、高品質な画像を得ることができないという問題があった。また、特許文献２に記載の技術は、多値画像データを高解像度化したときに、出力画素の階調値として参照する周辺の画素位置を決定しているため、処理が複雑であるという問題があった。また、高解像度の画像データに対し、更に、エッジ判定やパターンマッチング判定を行っているため、処理に必要なメモリ容量が多くなってしまうという問題があった。
【０００４】
本発明の課題は、単純な処理によって、良質な高解像度の画像データを作成可能とすることである。
【課題を解決するための手段】
【０００５】
請求項１に記載の画像処理装置は、２値の画像データにおける注目画素を含む所定の画像領域の画素配列が、予め用意された複数のテンプレートデータの各々の画素配列と一致するか否かを判定するパターンマッチング部と、
前記パターンマッチング部における判定結果に基づいて、所定画素数で構成される画素ブロックを用いて前記画像データよりも高解像度の画像データを作成する解像度変換部と、を備え、
前記複数のテンプレートデータの各々には、注目画素の出力階調値及び出力画素の位置情報が設定されており、
前記解像度変換部は、
前記パターンマッチング部により、前記画像領域の画素配列と一致するテンプレートデータがあると判定された場合、当該一致したテンプレートデータに設定された出力階調値及び出力画素の位置情報に基づいて、当該出力階調値と同一の階調値を再現する画素ブロックを出力することを特徴としている。
【０００６】
請求項２に記載の発明は、請求項１に記載の画像処理装置において、前記解像度変換部は、前記パターンマッチング部により、前記画像領域の画素配列と一致するテンプレートデータがないと判定された場合、当該画像領域に含まれる注目画素と同一の階調値を再現する画素ブロックを出力することを特徴としている。
【０００７】
請求項３に記載の発明は、請求項１又は２に記載の画像処理装置において、前記複数のテンプレートデータの各々に設定された出力画素の位置情報は、注目画素の周辺の黒画素及び白画素の位置により設定され、前記画素ブロックを構成する各画素の出力位置を決定する情報であることを特徴としている。
【０００８】
請求項４に記載の発明は、請求項１〜３の何れか一項に記載の画像処理装置において、前記複数のテンプレートデータの各々に設定された出力階調値は、注目画素に対する階調変換前と変換後における出力階調値の誤差値を、前記解像度変換部で使用されるテンプレートデータの出力階調値とは別のテンプレートデータの出力階調値により吸収できるように設定されていることを特徴としている。
【０００９】
請求項５に記載の発明は、請求項１〜４の何れか一項に記載の画像処理装置において、前記パターンマッチング部により前記画像領域の画素配列と一致するテンプレートデータがあると判定された場合に出力する画素ブロックの各画素が再現可能な出力階調値を、操作部の操作により選択可能とすることを特徴としている。
【００１０】
請求項６に記載の画像形成装置は、請求項１〜５の何れか一項に記載の画像処理装置と、前記画像処理装置において画像処理が施された画像データに基づいて被記録材に画像を形成する画像形成部と、を備えることを特徴としている。
【００１１】
請求項７に記載の画像処理方法は、２値の画像データにおける注目画素を含む所定の画像領域の画素配列が、予め用意された複数のテンプレートデータの各々の画素配列と一致するか否かを判定するパターンマッチング工程と、
前記パターンマッチング工程における判定結果に基づいて、所定画素数で構成される画素ブロックを用いて前記画像データよりも高解像度の画像データを作成する解像度変換工程と、を含み、
前記複数のテンプレートデータの各々には、注目画素の出力階調値及び出力画素の位置情報が設定されており、
前記解像度変換工程では、
前記パターンマッチング工程において前記画像領域の画素配列と一致するテンプレートデータがあると判定された場合、当該一致したテンプレートデータに設定された出力階調値及び出力画素の位置情報に基づいて、当該出力階調値と同一の階調値を再現する画素ブロックを出力することを特徴としている。
【００１２】
請求項８に記載の発明は、請求項７に記載の画像処理方法において、前記解像度変換工程では、前記パターンマッチング工程により、前記画像領域の画素配列と一致するテンプレートデータがないと判定された場合、当該画像領域に含まれる注目画素と同一の階調値を再現する画素ブロックを出力することを特徴としている。
【００１３】
請求項９に記載の発明は、請求項７又は８に記載の画像処理方法において、前記複数のテンプレートデータの各々に設定された出力画素の位置情報は、注目画素の周辺の黒画素及び白画素の位置により設定され、前記画素ブロックを構成する各画素の出力位置を決定する情報であることを特徴としている。
【００１４】
請求項１０に記載の発明は、請求項７〜９の何れか一項に記載の画像処理方法において、前記複数のテンプレートデータの各々に設定された出力階調値は、注目画素に対する階調変換前と変換後における出力階調値の誤差値を、前記解像度変換工程において使用されるテンプレートデータの出力階調値とは別のテンプレートデータの出力階調値により吸収できるように設定されていることを特徴としている。
【００１５】
請求項１１に記載の発明は、請求項７〜１０の何れか一項に記載の画像処理方法において、前記パターンマッチング工程により前記画像領域の画素配列と一致するテンプレートデータがあると判定された場合に出力する画素ブロックの各画素が再現可能な出力階調値を、操作部の操作により選択可能とすることを特徴としている。
【発明の効果】
【００１６】
本発明によれば、元の画像データから、単純な処理で、高品質な文字画像や線画像を再現可能な高解像度の画像データを作成することが可能となる。
【００１７】
また、注目画素を含む所定の画像領域と一致するテンプレートデータがない場合であっても、当該注目画素と同一の出力階調値を再現する画素ブロックを出力することにより、画質を損ねることなく高解像度の画像データを作成することが可能となる。
【００１８】
更に、各テンプレートデータに設定された出力画素の位置情報により、高解像度の画像データで、文字画像や線画像を再現することができる。
【００１９】
また、各テンプレートデータに設定される出力階調値は、注目画素の階調変換によって生じる誤差値を他のテンプレートの出力階調値により吸収できるように設定されているため、高解像度化した後であっても、元の画像データの階調を再現することができる。
【００２０】
更に、画素ブロックの各画素が再現可能な出力階調値をユーザによって選択可能としたことにより、高解像度の画像データのスムージング処理における自由度を高めることが可能となる。
【発明を実施するための最良の形態】
【００２１】
以下、図面を参照して、本発明の実施形態について説明する。
まず、本実施形態における構成について説明する。
【００２２】
図１に、本実施形態に係る画像形成装置１の構成を示す。画像形成装置１は、図１に示すように、ＣＰＵ（Central Processing Unit）１０、ＲＯＭ（Read Only Memory）１１、ＲＡＭ（Random Access Memory）１２、画像読取部１３、画像処理装置１４、メモリ制御部１５、画像メモリ１６、画像形成部１７、搬送部１８、操作部１９により構成され、各部はバス２０により相互に接続される。
【００２３】
ＣＰＵ１０は、ＲＯＭ１１に格納された制御プログラムに従って、画像形成装置１の各部の動作を制御する。
【００２４】
ＲＯＭ１１は、ＣＰＵ１０によって実行される、画像形成装置１の動作に係る各種機能を実現するための制御プログラムと、当該制御プログラムの実行時に使用されるデータを記憶する。例えば、ＲＯＭ１１は、画像処理装置１４において実行されるテンプレートマッチング処理で使用するテンプレートのデータ（図４〜６参照）を記憶している。
【００２５】
ＲＡＭ１２は、ＣＰＵ１０によって実行される各種制御プログラムをプログラム格納エリアに展開し、入力されたデータや、各種制御プログラムの実行時に生じる処理結果等のデータをワークエリアに一時的に記憶する。
【００２６】
画像読取部１３は、スキャナ等により構成され、スキャナにより原稿の画像情報を読み取って画像データを生成する。具体的に、画像読取部１３は、透明なコンタクトガラスに載置された原稿を、光源からの照明により走査し、その反射光をＣＣＤ（Charge Coupled Device）により結像して光電変換することにより画像データを生成し、画像処理装置１４に出力する。
【００２７】
画像処理装置１４は、入力された画像データに対し、変倍処理、フィルタ処理、ガンマ変換処理等の各種画像処理を施し、処理済の画像データを画像メモリ１６に記憶させる。また、画像処理装置１４は、画像メモリ１６から読み出した処理対象の画像データに対し、ＲＯＭ１１に記憶されたテンプレートデータとのパターンマッチング処理を行うパターンマッチング部１４１と、パターンマッチング部１４１での処理結果に基づいて、１画素単位の画像データを、所定画素数で構成される画素ブロックに変換することによって高解像度の画像データを出力する解像度変換部１４２を備える。
【００２８】
画像処理装置１４における各部の処理の詳細を説明する前に、解像度変換の方法について説明する。高解像度の画像データは、入力された元の画像のデータの１画素を、ｎ×ｍ画素から構成される画素ブロック（ｎ≧１、ｍ≧１の整数）により変換することにより作成される。画素ブロックは、入力される元の画像データと、作成される高解像度の画像データのサイズから決定される。例えば、６００ｄｐｉの画像データから１２００ｄｐｉの画像データを作成する場合、図２に示すように、６００ｄｐｉの画像データの１画素を、縦×横を２×２とした４画素ブロックに変換することにより、１２００ｄｐｉの画像データを作成することができる。
【００２９】
また、画素ブロックで再現可能な出力階調値の階調数は、作成する高解像度の画像データの階調数と、画素ブロックを構成する画素の数（以下、画素ブロック数と呼ぶ。）ｎ×ｍにより決定される。例えば、６００ｄｐｉの多値画像データから１２００ｄｐｉの２値画像データを作成する場合、注目画素から作成される画素ブロックは、縦×横が２×２の４画素ブロックであり、この４画素ブロックでの出力階調値は、図３に示すように５値（０％、２５％、５０％、７５％、１００％）となる。従って、出力階調値の階調数は、式（１）のように算出される。
出力階調値の階調数
＝｛（高解像度画像データの階調数―１）×画素ブロック数｝＋１    …（１）
図３では、高解像度画像データの階調数＝２、画素ブロック数＝４ゆえ、式（１）より、出力階調値の階調数は５となる。
【００３０】
次に、パターンマッチング部１４１、解像度変換部１４２における処理の詳細を説明する。
【００３１】
パターンマッチング部１４１は、画像メモリ１６から読み出された２値の画像データの注目画素を含む所定の画像領域の画素配列が、ＲＯＭ１１に記憶された複数のテンプレートデータの各々の画素配列と一致するか否かを判定する。各テンプレートデータには、注目画素の出力階調値及び出力画素の位置情報が設定されている。
【００３２】
図４〜図６に、ＲＯＭ１１に記憶されたテンプレートデータの一例（Ｎｏ．００〜Ｎｏ．１６）を示す。図４〜図６において、テンプレート番号Ｎｏ．００〜Ｎｏ．１６の横に示したアルファベット及び数値は、それぞれ、出力画素の位置情報（Ｒ：右寄せ、Ｌ：左寄せ、Ｃ：中央寄せ、Ｕ：上寄せ、Ｄ：下寄せ）、出力階調値（％）を示している。図７に、テンプレートデータに設定された出力階調値及び出力画素の位置情報に対応する出力例を示す。例えば、Ｒ５０である場合、出力階調値が５０％で、黒画素が右寄せ（Ｒ）で出力されることを示す。
【００３３】
図４〜図６に示すように、各テンプレートデータに設定された出力画素の位置情報は、注目画素の周辺の黒画素及び白画素の位置により設定され、画素ブロックを構成する各画素の出力位置を決定する情報である。
【００３４】
また、各テンプレートデータに設定された出力階調値（％）は、注目画素に対する階調変換前と変換後における出力階調値の誤差値を、解像度変換部１４２で使用するテンプレートデータの出力階調値とは別のテンプレートデータの出力階調値により吸収できるように設定されている。例えば、テンプレートＮｏ．００に示すような、黒画素を注目画素とし、出力階調値を５０％としたテンプレートデータに対し、テンプレートＮｏ．０１に示すような、白画素を注目画素とし、出力階調値を５０％としたテンプレートデータを用意することにより、階調変換で発生する誤差値をなるべく吸収できるようにしている。
【００３５】
解像度変換部１４２は、パターンマッチング部１４１でのパターンマッチングにおいて、入力された所定の画像領域の画素配列と一致したテンプレートデータに設定された出力階調値及び出力画素の位置情報に基づいて、当該出力階調値と同一の階調値を再現する画素ブロックを出力する。また、解像度変換部１４２は、パターンマッチング部１４１でのパターンマッチングにおいて一致するテンプレートデータがない場合は、前記画像領域に含まれる注目画素と同一の階調値を再現する画素ブロックを出力する。
【００３６】
図８に、解像度変換部１４２における解像度変換の一例を示す。例えば、パターンマッチング部１４１に入力された所定の画像領域が図８（ａ）である場合、当該画像領域の画素配列が、テンプレートＮｏ．０３のテンプレートデータと一致しているため、解像度変換部１４２では、図８（ｂ）に示すように、当該一致したテンプレートデータに設定された出力階調値及び出力画素の位置情報であるＣＤ５０（出力階調値５０％、中央（Ｃ）・下（Ｄ））に基づいて、注目画素に対応する画素ブロックが出力される。また、パターンマッチング部１４１に入力された所定の画像領域が図８（ｃ）である場合、当該画像領域の画素配列と一致するテンプレートデータがないため、解像度変換部１４２では、図８（ｄ）に示すように、注目画素と同一の階調値（０％）を再現する画素ブロックが出力される。
【００３７】
なお、パターンマッチング部１４１により前記画像領域の画素配列と一致するテンプレートデータがあると判定された場合に出力する画素ブロックの各画素が再現可能な出力階調値を、操作部１９の操作により選択することが可能である。
【００３８】
また、文字画像や線画像に対するテンプレートデータを用いた高解像度化を行うか否かは、操作部１９の操作により選択可能としてもよい。また、解像度変換部１４２における処理は、作成される高解像度の画像データの階調数（２値、多値）に関らず実行可能であり、この階調数は操作部１９の操作により選択可能である。
【００３９】
図１に戻る。メモリ制御部１５は、画像データの読み出し及び書き込みの際の画像メモリ１６へのアクセスを制御する。画像メモリ１６は、不揮発性の記憶媒体で構成されており、画像処理装置１４で処理された画像データを記憶する。
【００４０】
画像形成部１７は、ＣＰＵ１０からの印刷制御信号に従って、所定の印刷方式（例えば、電子写真方式やインクジェット方式）で、転写紙（被記録材）に画像を形成する。搬送部１８は、複数のローラにより画像形成前及び形成後の転写紙の搬送を行う。
【００４１】
操作部１９は、数字キーやスタートキー等の各種機能キー、ＬＣＤ（Liquid Crystal Display）等の表示画面と一体に構成されるタッチパネルを備えて構成されており、キー操作に対応する操作信号、タッチパネルでの入力操作に応じた操作信号をＣＰＵ１０に出力する。
【００４２】
次に、本実施形態における動作について説明する。
図９のフローチャートを参照して、画像処理装置１４において実行される画像処理について説明する。
【００４３】
まず、注目画素を含む所定の画像領域がパターンマッチング部１４１に入力され（ステップＳ１）、ＲＯＭ１１からテンプレートデータが読み出される（ステップＳ２）。次いで、全てのテンプレートデータについてパターンマッチング処理が終了したか否かが判定される（ステップＳ３）。
【００４４】
ステップＳ３において、全てのテンプレートデータについてのパターンマッチング処理が終了していないと判定された場合（ステップＳ３；ＮＯ）、ステップＳ２で読み出されたテンプレートデータの画素配列と、ステップＳ１で入力された画像領域の画素配列とのパターンマッチング処理が行われ（ステップＳ５）、当該テンプレートデータが当該画像領域と一致したか否かが判定される（ステップＳ６）。
【００４５】
ステップＳ６において、ステップＳ２で読み出されたテンプレートデータと、ステップＳ１で入力された画像領域が一致しないと判定された場合（ステップＳ６；ＮＯ）、ＲＯＭ１１から次のテンプレートデータが読み出され（ステップＳ２）、ステップＳ３の処理が繰り返される。
【００４６】
ステップＳ６において、ステップＳ２で読み出されたテンプレートデータと、ステップＳ１で入力された画像領域が一致すると判定された場合（ステップＳ６；ＹＥＳ）、当該テンプレートデータに設定された出力階調値及び出力画素の位置情報に基づいて、注目画素が画素ブロック化されて出力され（ステップＳ７）、本画像処理が終了する。
【００４７】
ステップＳ３において、全てのテンプレートデータについてのパターンマッチング処理が終了したと判定された場合（ステップＳ３；ＹＥＳ）、即ち、注目画素を含む画像領域の画素配列と一致するテンプレートデータがなかった場合、当該注目画素と同一の出力階調値を再現する画素ブロックが出力され（ステップＳ４）、本画像処理が終了する。
【００４８】
以上のように、本実施形態の画像形成装置１によれば、元の画像データから、単純な処理で、高品質な文字画像や線画像を再現可能な高解像度の画像データを作成することが可能となる。
【００４９】
また、注目画素を含む所定の画像領域と一致するテンプレートデータがない場合であっても、当該注目画素と同一の出力階調値を再現する画素ブロックを出力することにより、画質を損ねることなく高解像度の画像データを作成することが可能となる。
【００５０】
更に、各テンプレートデータに設定された出力画素の位置情報により、高解像度の画像データで、文字画像や線画像を再現することができる。
【００５１】
また、各テンプレートデータに設定される出力階調値は、注目画素の階調変換によって生じる誤差値を他のテンプレートの出力階調値により吸収できるように設定されているため、高解像度化した後であっても、元の画像データの階調を再現することができる。
【００５２】
更に、画素ブロックの各画素が再現可能な出力階調値をユーザによって選択可能としたことにより、高解像度の画像データのスムージング処理における自由度を高めることが可能となる。
【図面の簡単な説明】
【００５３】
【図１】本発明の実施形態に係る画像形成装置の主要部構成を示すブロック図。
【図２】低解像度の画像データと、高解像度の画像データとの関係を示す図。
【図３】画素ブロックの出力階調値を示す図。
【図４】ＲＯＭに記憶されたテンプレートデータの一例を示す図。
【図５】ＲＯＭに記憶されたテンプレートデータの一例を示す図。
【図６】ＲＯＭに記憶されたテンプレートデータの一例を示す図。
【図７】テンプレートデータに設定された出力画素の位置情報及び出力階調値に基づいて出力される４画素ブロックの一例を示す図。
【図８】解像度変換の一例を示す図。
【図９】画像処理装置において実行される画像処理を示すフローチャート。
【符号の説明】
【００５４】
１  画像形成装置
１０  ＣＰＵ
１１  ＲＯＭ
１２  ＲＡＭ
１３  画像読取部
１４  画像処理装置
１４１  パターンマッチング部
１４２  解像度変換部
１５  メモリ制御部
１６  画像メモリ
１７  画像形成部
１８  搬送部
１９  操作部
【図１】
2007214966.tif 000003
【図２】
2007214966.tif 000004
【図３】
2007214966.tif 000005
【図４】
2007214966.tif 000006
【図５】
2007214966.tif 000007
【図６】
2007214966.tif 000008
【図７】
2007214966.tif 000009
【図８】
2007214966.tif 000010
【図９】
2007214966.tif 000011